(57)【要約】【課題】棚板と天板とを有する卓上整理棚において、棚板と天板との間の空間及び棚板下方の空間の幅広い使用形態に対応する。【解決手段】卓上に載置して用いられ、左右に離間させて１対設けた側板１と、これら側板１の上方に設けた天板４と、前記側板４間に架け渡して設けた棚板２とを有する卓上整理棚Ｌを、前記天板４及び前記棚板２の高さ位置をそれぞれ変更可能に構成する。【選択図】図２
2004147797.tif 000002
【特許請求の範囲】
【請求項１】
卓上に載置して用いられるものであって、左右に離間させて１対設けた側板と、これら側板の上方に設けた天板と、前記側板間に架け渡して設けた棚板とを有するとともに、前記天板及び前記棚板の高さ位置をそれぞれ変更可能に構成していることを特徴とする卓上整理棚。
【請求項２】
前記棚板を、間欠的に設定したそれぞれ高さ位置の異なる複数の棚板取付位置のいずれかに選択的に取り付けることができるようにしているとともに、前記複数の棚板取付位置からそれぞれ所定距離だけ上方に離間した位置に複数の天板取付位置を設定し、前記天板を前記天板取付位置のいずれかに選択的に取り付けることができるようにしていることを特徴とする請求項１記載の卓上整理棚。
【請求項３】
前記１対の側板の後端部間に背板をさらに設けていることを特徴とする請求項１又は２記載の卓上整理棚。
【請求項４】
前記側板を前記背板の側縁又はその近傍に設定した軸を中心に回転可能に設け、前記側板と前記背板とを重合可能にしていることを特徴とする請求項３記載の卓上整理棚。
【請求項５】
前記背板の左右両端部に取付爪を設けるとともに、前記側板の後端部に対背板取付孔を設け、前記取付爪と前記対背板取付孔とを係り合せることにより、前記背板に前記側板を取り付けるようにしていることを特徴とする請求項４記載の卓上整理棚。
【請求項６】
前記天板の下面から前記側板に設けた天板取付孔に挿入可能に構成した補助支柱を設けているとともに、前記補助支柱にその太さ寸法を縮小させて設けた係合溝を形成し、さらに前記側板の上面に前記係合溝に係合可能な係合孔と前記補助支柱を挿通可能に構成した挿通孔とを連通させて設けていることを特徴とする請求項１、２、３、４又は５記載の整理棚。
【請求項７】
前記側板に棚板取付部を高さ方向に離間させて複数設けているとともに、前記補助支柱に前記係合溝を複数形成し、前記棚板取付部相互間の高さ方向の距離と前記係合溝相互間の高さ方向の距離を一致させていることを特徴とする請求項６の整理棚。
【発明の詳細な説明】
【０００１】
【発明の属する技術分野】
本発明は、書類等を収納整理するのに用いられる卓上整理棚に関する。
【０００２】
【従来の技術】
従来、オフィスなどに用いられる卓上の空間において書類を整理するとともに物品を収納整理するために、例えば、机等に同一形状の上棚ユニットを複数積み重ね、それぞれの上棚ユニットに書類ないし物品を収納整理する態様が考えられている。（例えば特許文献１参照。）また、天板と高さ位置を変更可能な棚板とを有し、棚板と天板との間の空間に書類を収納可能にしているとともに、前記棚板の下方の空間及び天板上にパソコンやプリンタ等の物品を収納又は載置可能にしている卓上整理棚が用いられてきている。（例えば非特許文献１、２参照。）
【０００３】
【特許文献１】
特開平１０−２４８６５１号公報（第２−３頁、第５図、第６図）
【非特許文献１】
コクヨ総合カタログオフィスファニチャー編２００２、コクヨ株式会社、ｐ．１８０
【非特許文献２】
コクヨ総合カタログオフィスサプライズ編２００２、コクヨ株式会社、ｐ．１８６
【０００４】
【発明が解決しようとする課題】
ところが、特許文献１記載の上棚ユニットは、上棚ユニット間の高さ寸法が可変ではなく、収納する物品に対応して棚板の高さ位置を変更し、幅広い使用形態に対応することが困難であるという不具合が存在し得る。一方、非特許文献１、２記載の卓上整理棚は、棚板の高さ位置は変更可能であり、前記した不具合は解消されるものの、天板の高さ位置は変更可能でなく、棚板下方の空間を広く取ると、棚板と天板との間の空間に書類を収納できなくなることがあり得るという不具合が生じる。このような不具合を避けるために天板の高さ位置を十分高くすると、書類の用紙のサイズは略統一されていることが多いので、棚板を低い位置に取り付けると棚板と天板との間の空間の高さ寸法が書類の高さ寸法に比べて大きくなりすぎ、書類の上方に無駄な空間が生じてしまうことが多いという別の不具合が生じる。
【０００５】
本発明は、以上に述べた課題を解決し、空間の無駄なく書類を収納可能にするとともに、棚板下の空間に高さ寸法の異なる種々の物品を収納可能にする等、幅広い使用形態に対応すべく構成するものである。
【０００６】
【課題を解決するための手段】
すなわち本発明に係る整理棚は、卓上に載置して用いられるものであって、左右に離間させて１対設けた側板と、これら側板の上方に設けた天板と、前記側板間に架け渡して設けた棚板とを有するとともに、前記天板及び前記棚板の高さ位置をそれぞれ変更可能に構成していることを特徴とする。
【０００７】
このようなものであれば、棚板の高さ位置を変化させて棚板の下方のスペースの高さ寸法を収納する物品の高さ寸法に対応させる等、必要に応じて変化させることができるようになる一方、天板の高さ方向位置をも変化させて、例えば前記天板と前記棚板との間の空間の高さ寸法を維持すべく、棚板を上昇させた分だけ天板をも上昇させ、前記空間に書類を空間の無駄なく収納することができるようになる等、幅広い使用形態に対応できるようになる。さらに、異なる大きさの書類に対応させるべく、また異なる高さ寸法の物品を収納させるべく、必要に応じて棚板及び天板の高さ寸法をそれぞれ変化させることもでき、さらに幅広い使用形態にも対応できるようになる。
【０００８】
特に、前記天板と前記棚板との間に形成される空間の高さ寸法を変化させずに棚板の下方の空間の高さ寸法を変更できるようにするには、前記棚板を、間欠的に設定したそれぞれ高さ位置の異なる複数の棚板取付位置のいずれかに選択的に取り付けることができるようにしているとともに、前記複数の棚板取付位置からそれぞれ所定距離だけ上方に離れた位置に複数の天板取付位置を設定し、前記天板を前記天板取付位置のいずれかに選択的に取り付けることができるようにすればよい。前記天板と前記棚板との距離を維持したまま前記天板及び前記棚板の高さ位置を変更することで、前記棚板の下方の空間の高さ寸法を変更できるからである。
【０００９】
前記１対の側板の後端部間に背板をさらに設けているものであれば、前記天板と前記棚板との間に形成される空間に収納した書類等の物品をこの背板に当てるようにして安定的に保持できるようになるとともに、前記背板がこの整理棚と後方の空間とを仕切るので、前記天板と前記棚板との間に形成される空間に収納した物品を整理棚から落下しにくくできる。
【００１０】
特に、前記側板を前記背板の側縁又はその近傍に設定した軸を中心に回転可能に設け、前記側板と前記背板とを重合可能にしているものであれば、非使用時において、ねじ部材の着脱等を行うことなく前記側板と前記背板とを重合させて、この整理棚を収納するスペースを節約できるようになる。
【００１１】
このような側板の背板への具体的な取付構造の一例として、前記背板の左右両端に取付爪を設けるとともに、前記側板の後端部に取付孔を設け、前記取付爪と前記取付孔とを係り合せることにより、前記背板に前記側板を取り付けるようにしているものが挙げられる。
【００１２】
簡単な構成かつ簡単な操作により天板の高さ位置を変更可能に構成するには、前記天板の下面から前記側板に設けた天板取付孔に挿入可能に構成した補助支柱を設けているとともに、前記補助支柱にその太さ寸法を縮小させて設けた係合溝を形成し、さらに側板の上端部に前記係合溝に係合可能な係合孔と前記補助支柱を挿通可能に構成した挿通孔とを連通させて設ければよい。
【００１３】
簡単な構成かつ簡単な操作により、天板及び棚板の高さ方向の間隔を維持しつつ棚板下方の空間の高さ寸法を変更可能に構成するには、前記側板に棚板取付部を高さ方向に離間させて複数設けているとともに、前記補助支柱に前記係合溝を複数形成し、前記棚板取付部相互間の高さ方向の距離と前記係合溝相互間の高さ方向の距離を一致させればよい。
【００１４】
【発明の実施の形態】
以下、本発明の一実施形態を、図面を参照して説明する。
【００１５】
本実施形態に係る卓上整理棚Ｌは、机ＤＥ等の卓上に載置して用いるものであって、斜視図を図１、正面図を図２、平面図を図３、側面図を図４、底面図を図５にそれぞれ示すように、左右に離間させて１対設けた側板１と、前記側板１間に架け渡して設けた棚板２と、前記１対の側板１の後端部間に設けた背板３と、前記側板１の上方に設けた天板４とを有する。
【００１６】
前記側板１は、本実施形態ではそれぞれ１枚の金属板を４回略直角に折り返し、その両端部を重合させることにより両面がそれぞれ左右に向かう中空の板状に板金加工により形成していて、その上面を隠蔽する上蓋体１１を具備する。
【００１７】
前記棚板２は、本実施形態では板金加工により形成している。具体的には、図２におけるＢ−Ｂ断面図を図６、図６におけるＹ−Ｙ部分拡大図を図７、図３におけるＤ−Ｄ断面図を図８、図８における領域Ｚの拡大図を図９に示すように、１枚の金属板の前端縁部及び後端縁部を下方に折り返して第１折り返し部２１を設けているとともに、左右両端縁部を下方に折り返して第２折り返し部２２を設けている。さらに、第１折り返し部２１に隣接させて、幅方向に延びる補強材２３を熔接等により設けている。
【００１８】
前記背板３は、本実施形態では図２における領域Ｃの拡大図である図１０、及び図１０のＥ−Ｅ断面図である図１１に示すように、前半部を構成する前板３１と後半部を構成する後板３２とを前後に対向させ、これら前板３１及び後板３２の上端縁部、下端縁部、及び両側端縁部を互いに向かい合わせに折り返し、これら前板と後板との接合部を熔接することにより、中空の板状に形成している。また、図６に示すように、この背板３と前記棚板２の後端２ｘとの間、及びこの背板３とこの卓上整理棚を載置する机等の上面ＤＴとの間には空間を設けていて、配線等を挿通可能にしている。さらに、前記前板３１には、その裏面に接合する板状の取付部３３１と、前記取付部３３１を後方に折り返して形成した接続部３３２と、接続部３３２から側前方に水平に突出して設けた取付爪本体３３３とを有する取付爪３３をさらに取り付けている。具体的には、前記取付部３３１を前記前板３１の裏面に熔接等により接合しているとともに、前板の側端縁部にはスリット（図示略）を設けていて、このスリットから前記取付爪本体３３３を水平に伸ばして設けている。一方、前記側板１の内面の後端部には対背板取付孔１ｄが設けてあり、前記対背板取付孔１ｄと前期取付爪３３とを係り合わせることにより、前記側板１を前記背板３の側縁又はその近傍に設定した軸を中心に回転可能に取り付けることができる。そして、前記側板１は、この背板３と重合する位置まで回転可能である。
【００１９】
前記天板４は、本実施形態では略矩形状をなす板状のものであり、その下面に補強部材（図示略）を設けているとともに、隅部の下面から補助支柱４１を略鉛直下方に延ばして設けている。前記補強部材には、オプション取付孔を複数設けていて、オプション部材に設けた取付爪をこのオプション取付孔に係合させ、オプション部材を水平方向にスライドさせることによってオプション部材を幅方向位置を変更可能に取付可能にしている。
【００２０】
また、この卓上整理棚Ｌは、棚板２の高さ位置をも変更可能に構成している。すなわち、前記図２の実線に示す第１棚板取付位置と、この第１棚板取付位置から距離ｐだけ上方に位置し、前記図２の想像線に示す第２棚板取付位置と、前記第２棚板取付位置からさらに距離ｐだけ上方に位置し、前記図２の想像線に示す第３棚板取付位置とに棚板２を選択的に取り付けることができる。
【００２１】
具体的には、側板１の内側面に、棚板取付具２４を取り付け可能に構成され、棚板取付部たる棚板取付孔１ｃを複数、本実施形態では３箇所に、高さ方向に所定ピッチｐだけ相互に離間させて設けているとともに、棚板取付具２４を介して前記棚板２を図６〜図９に示すように取付可能にしている。この棚板取付具２４は、１枚の略矩形状をなす金属板の長手方向両端部に、短辺方向に沿って切り欠きを設けるとともに、この切り欠きから長手方向両端側を起立させて係合爪２４１を設け、前記切り欠き間の部分を下方に折り曲げて当たり面部２４３を設けている。そして、この金属板の残り部分を短辺方向中間部から折り曲げて、前記係合爪と略対向させるように起立させて対棚板係合部２４２ｂを設け、残り部分を載置部２４２ａとして構成している。この棚板取付具の全体図を図１２に示す。なお、図１２において、（ａ）は正面図、（ｂ）は平面図、（ｃ）は側面図である。前記係合爪２４１は、載置部２４２ａの前端部及び後端部の側板１側の端縁から側板１に向かう方向に延びているとともに、先端部が略起立していて、前記棚板取付孔１ｃに係り合わせるようにしている。前記載置部２４２ａは、前記第２折り返し部２２を載置するようにしている。前記対棚板係合部２４２ｂは、側板１の内側面から所定距離離間して対向しているとともに、棚板２の左右両端に位置する前記第２折り返し部２２の側板１と反対側の面に対向するようにしている。前記当たり面部２４３は、側板１の内側面に接するようにしているとともに、載置部２４２ａの側板１側の端縁から下方に延びている。そして、前記対棚板係合部２４２ｂの長手方向中央部には浮き上がり防止部材取付孔たる樹脂ファスナ挿通孔２４ａが設けてあるとともに、前記第２折り返し部２２の長手方向中央部には、浮き上がり防止部材挿通部たる切り込み２２ａを、前記樹脂ファスナ挿通孔２４ａと重合可能に設け、浮き上がり防止部材たる樹脂ファスナｆを、前記樹脂ファスナ挿通孔２４ａに取り付けるようにしている。この樹脂ファスナｆは、前記第２折り返し部２２の下部に当たることにより、不意の衝撃などによる棚板２の浮き上がりを防止するよう構成されているが、ネジ部材等をこの樹脂ファスナｆの替わりに用いてももちろんよい。
【００２２】
この棚板２の高さ位置は次のようにして変更する。まず、棚板２を持ち上げて、棚板取付具２４から取り外す。次に、棚板取付具２４の係合爪２４１と側板１の棚板取付孔１ｃとの係合を解除する。そして、左右の棚板取付具２４をそれぞれ所望の高さ位置の棚板取付孔１ｃに、係合爪２４１を係り合わせて取り付ける。最後に、棚板２の第２折り返し部２２を棚板取付具２４の載置部２４２ａに載置する。すなわち、棚板２は、図２及び図７の実線に示す第１棚板取付位置と、この第１棚板取付位置から上方にｐだけ離間した第２棚板取付位置と、この第２棚板取付位置からさらに上方にｐだけ離間した第３棚板取付位置とに選択的に取り付けることができる。
【００２３】
前記側板１が互いに離間しようとする際には、この棚板取付具２４の自重と棚板２及び棚板２に載置した収納物から受ける重力により棚板２が沈み込む方向に前記棚板取付具２４が回転しようとするが、このとき前記当たり面部２４３の下端が側板１に衝き当たるとともに、前記係合爪２４１は前記側板１の棚板取付孔１ｃの縁部に衝き当たり、この棚板取付具２４及び側板１が略固定される。すなわち、このように構成した棚板取付具２４は、側板１間の離間の進行自体を禁止するように作用する。
【００２４】
しかして本実施形態に係る卓上整理棚Ｌは、天板４の高さ位置を変更可能に構成している。具体的には、前記図２、図２におけるＡ−Ａ断面図である図１３、及び図１３のＸ−Ｘ部分拡大図である図１４、側板１の平面図を図１５に示すように、前記補助支柱４１にその太さ寸法を縮小させて設けた係合溝４ａを相互に所定ピッチｐだけ離間させて複数、本実施形態ではでは３箇所形成している。この係合溝４ａ間のピッチｐは、前記棚板取付孔１ｃ間のピッチと同一である。その上で、前記側板１の上面に前記係合溝に係合可能な係合孔１ａと前記補助支柱４１を挿通可能に構成した挿通孔と１ｂを連通させて設けた天板取付体１３を設け、前記係合溝と前記係合孔とを係り合わせるようにしている。なお、この天板取付体１３は、本実施形態では上蓋体１１に設けた溝１１ａに挿入するようにしている。すなわち、本実施形態では、前記第１棚板取付位置に位置する棚板２の上面から天板面を所定距離ｘだけ離間させた第１天板取付位置と、前記第２棚板取付位置に位置する棚板２の上面から天板面を所定距離ｘだけ離間させた第２天板取付位置と、前記第３棚板取付位置に位置する棚板２の上面から天板面を所定距離ｘだけ離間させた第３天板取付位置とに天板４を選択的に取り付けることができる。また、第１天板取付位置と第２天板取付位置、及び第２天板取付位置と第３天板取付位置とは、それぞれ距離ｐだけ離間している。
【００２５】
このように構成した卓上整理棚Ｌの天板４の高さを変更する方法を以下に述べる。
【００２６】
まず、前記天板取付体１３を奥行き方向にスライドさせる等して、挿通孔中に補助支柱４１を挿し通した状態にする。次いで、天板４を希望する高さ位置に上下させる。そして、前記天板取付体１３を再び奥行き方向にスライドさせ、前記係合溝と前記係合孔とを係り合わせる。
【００２７】
以上のように構成することで、天板４の高さ位置と棚板２の高さ位置とをともに互いに独立に変更できるので、棚板２下方の空間及び天板４と棚板２との間の空間の高さ寸法を必要に応じて変更でき、より幅広い使用形態に対応できる。
【００２８】
特に、側板１に棚板取付部たる棚板取付孔１ｃを互いに所定ピッチｐだけ離間させて複数設けるとともに、天板４の補助支柱４１に係合溝４ａを互いに前記棚板取付孔１ｃと同一の所定ピッチｐだけ離間させて複数設けることにより、間欠的に設定したそれぞれ高さ位置の異なる複数の棚板取付位置のいずれかに棚板２を選択的に取り付けることができるとともに、前記複数の棚板取付位置からそれぞれ所定距離ｘだけ上方に離れた位置に設定した複数の天板取付位置のいずれかに前記天板４を選択的に取り付けることができるようにしているので、簡単な構成及び簡単な操作で天板４と棚板２との間の空間の高さ寸法を変えずに棚板２下方の空間の高さ寸法を変更できる。従って、例えば天板４と棚板２との間の空間をＡ４サイズのファイルを空間の無駄なく収納できる寸法に保ったままで、棚板２下方の空間の高さ寸法を、この空間に収納するパソコン等の物品の高さ寸法に対応させることができる。
【００２９】
また、側板１の後端部間に背板３を設けているので、例えば上述した天板４と棚板２との間の空間にファイルを収納する使用形態等をとる際に、この背板３に収納する物品を衝き当て、より安定的に物品を収納できる。
【００３０】
加えて、この背板３に取付爪３３を設け、前記側板１に取付孔を設けてこれら取付孔と取付爪３３とを係り合わせ、前期背板３に前期側板１を前記背板３の側縁又はその近傍に設定した軸を中心に回転可能に設け、前記側板１と前記背板３とを重合可能にしているので、簡単な構成でこの卓上整理棚を折りたたむことができ、非使用時においてこの卓上整理棚Ｌを収納するスペースを節約することができる。
【００３１】
なお、本発明は以上に述べた実施形態に限られない。
【００３２】
例えば、棚板取付位置及び天板取付位置は４箇所以上設定してもよく、また、２箇所だけ設定してもよい。
【００３３】
また、天板の高さ方向を変更する方法は、上述した実施形態に述べたもの以外に、例えば、補助支柱に雌ねじ孔を複数設けるとともに、側板にねじ挿通孔を設け、前記雌ねじ孔のいずれかと前記ねじ挿通孔とを重合させ、雄ねじ部材を前記雌ねじ孔にねじ止めして天板を所望の高さ位置に取り付けるようにする態様が考えられる。このようなものであっても、前記雌ねじ孔間相互の間隔と、前記棚板取付部間相互の間隔とを一致させてあれば、天板と棚板との間の空間の高さ寸法を変えずに棚板の高さ位置を変更できる。
【００３４】
さらに、背板と側板との接続も、上述した実施形態に述べたもの以外に、例えば、一方に設けたフック爪と他方に設けたフック爪とを係合させる構造や、背板に雌ねじ孔を、側板にねじ挿通孔をそれぞれ設けてこれらを重合させ、雄ねじ部材を前記雌ねじ孔にねじ止めする態様等を用いてもよい。但し、これらの態様では、側板は回転可能でないので、収納の際には側板を完全に背板から取り外すことが望ましい。
【００３５】
加えて、背板は省略しても構わない。この場合、天板と棚板との間の空間に収納する物品を背板に衝き当てて安定的に収納する効果は得られないが、この卓上整理棚は奥行き方向両側に開口させて、奥行き方向両側から使用可能にすることができる。
【００３６】
そして、棚板の高さ位置の変更幅と、天板の高さ位置の変更幅とは、必ずしも一致可能にする必要はなく、また、棚板取付具は１枚の金属板を略Ｓ字状に折り曲げて形成した通常の構成のものを用いてもよい。さらに、天板の高さは連続的に変更可能なものであってもよい。
【００３７】
その他、本発明の趣旨を損ねない範囲で種々に変更してよい。
【００３８】
【発明の効果】
本発明に係る卓上整理棚は、棚板の高さ位置を変更できるとともに、天板の高さ位置をも変更できるので、天板と棚板との間の空間の高さ寸法を変えずに棚板下方の空間の高さ寸法を変更することや、棚板下方の空間及び天板と棚板との間の空間の高さ寸法を必要に応じて設定することを実現でき、より幅広い使用形態に対応できる。
【図面の簡単な説明】
【図１】本発明の一実施形態に係る卓上整理棚の斜視図。
【図２】同実施形態に係る卓上整理棚の正面図。
【図３】同実施形態に係る卓上整理棚の平面図。
【図４】同実施形態に係る卓上整理棚の側面図。
【図５】同実施形態に係る卓上整理棚の底面図。
【図６】図２におけるＢ−Ｂ断面図。
【図７】図６におけるＹ−Ｙ部分拡大図。
【図８】図３におけるＤ−Ｄ断面図。
【図９】図８における領域Ｚの拡大図。
【図１０】図２における領域Ｃの拡大図。
【図１１】図１０におけるＥ−Ｅ断面図。
【図１２】同実施形態に係る卓上整理棚に用いる棚板取付具の全体図。
【図１３】図２におけるＡ−Ａ断面図。
【図１４】図１２におけるＸ−Ｘ部分拡大図。
【図１５】同実施形態に係る卓上整理棚の側板の平面図。
【符号の説明】
１…側板
１ａ…係合孔
１ｂ…挿通孔
１ｃ…棚板取付孔
１ｄ…対背板取付孔
２…棚板
３…背板
３３…取付爪
４…天板
４１…補助支柱
４ａ…係合溝
【図１】
2004147797.tif 000003
【図２】
2004147797.tif 000004
【図３】
2004147797.tif 000005
【図４】
2004147797.tif 000006
【図５】
2004147797.tif 000007
【図６】
2004147797.tif 000008
【図７】
2004147797.tif 000009
【図８】
2004147797.tif 000010
【図９】
2004147797.tif 000011
【図１０】
2004147797.tif 000012
【図１１】
2004147797.tif 000013
【図１２】
2004147797.tif 000014
【図１３】
2004147797.tif 000015
【図１４】
2004147797.tif 000016
【図１５】
2004147797.tif 000017